(57)【要約】【課題】    ルアーに対して着脱容易なアシストフックを提供することにより、フッキング率を向上させる。【解決手段】  疑似餌本体２２およびその疑似餌本体２２を覆うように配置された二股の釣り針２１を備えたルアー２０に対して着脱容易に連結させる。  ルアー２０の釣り針２１は、釣り糸に連結される釣り糸連結部２１ａと、その釣り糸連結部２１ａから延設されてＪ字形をなす針先２１ｃに向けて二股に分かれた胴部２１ｂを備える。  アシストフック１０は、二股の胴部２１ｂに掛けられて固定される連結具１２と、その連結具１２における釣り糸連結部２１ａと反対側へ針先１１ｃが位置するように固定されるＪ字形の補助フック１１とを備える。【選択図】  図３
2014007992.tif 000002
【特許請求の範囲】
【請求項１】
疑似餌本体およびその疑似餌本体を覆うように配置された二股の釣り針を備えたルアーに対して着脱容易に連結させるアシストフックであって、
前記ルアーの釣り針は、釣り糸に連結される釣り糸連結部と、その釣り糸連結部から延設されてＪ字形をなす針先に向けて二股に分かれた胴部を備えており、
前記アシストフックは、前記二股の胴部に掛けられて固定される連結具と、その連結具における釣り糸連結部と反対側へ針先が位置するように固定されるＪ字形の補助フックとを備えたアシストフック。
【請求項２】
前記の連結具は、線状部材をＶ字状に屈曲させることで両端に前記ルアーに連結するための連結部を備え、
そのＶ字の屈曲部には、線状部材を捻って交差させることで前記補助フックへ連結するための連結部を形成した請求項１記載のアシストフック。
【請求項３】
前記補助フックは、複数のフックの針先を備えることとした請求項１または請求項２のいずれかに記載のアシストフック。
【請求項４】
前記連結具と前記補助フックとの間に羽根部材１４を軸支した請求項１から請求項３のいずれかに記載のアシストフック。
【請求項５】
前記連結具と前記補助フックとの連結部は、被覆部材にて覆った請求項１から請求項４のいずれかに記載のアシストフック。
【請求項６】
請求項１から請求項５のいずれかに記載のアシストフックを備えた釣り用ルアー。
【発明の詳細な説明】
【技術分野】
【０００１】
本発明は、釣りに使用する釣り用ルアー、およびその釣り用ルアーに好適なアシストフックに関するものである。
【背景技術】
【０００２】
釣り用ルアーとして、「ウィードレス・ソフトプラグ」と呼ばれるものがある。  この「ウィードレス・ソフトプラグ」は、軟性合成樹脂製にて内部が中空としたカエルなどの形状をなした疑似餌本体と、Ｊ字状の釣り針とを備えたものである。そして、その釣り針が本体の尾部から頭部に向けて、Ｊの字の直線部が本体内部を貫通するとともに、本体の尾部から外部にかけ、本体の背部に端部が向くよう、本体に沿ってＪの字の湾曲部を取り付けた構造をとっている。
このような釣り用ルアーは、平常時は釣り針が本体から露出していないので水中の障害物に引っ掛かりにくいものの、魚が本体へ食いついた瞬間には、中空である本体がつぶれて釣り針が露出するため、魚が引っ掛かりやすい。そのため、ルアーフィッシングでは多用されている。
【０００３】
このような釣り用ルアーにおいて、魚の食いつきをよくするため、様々な改良がなされている。例えば、特許文献１では、中空とした疑似餌本体の内部に孔や溝を形成することで、疑似餌本体の内部に錘を設け、疑似餌本体の内部に釣り針を固定できるようにしている。錘を疑似餌本体の内部に設けることによって、水中における釣り用ルアーの動きを本物の餌の動きに似せることができ、固定された釣り針が魚を引っ掛ける確実性を向上させている。
また、特許文献２では、疑似餌本体の一部に硬質素材を用いることで、魚が食いついた際の疑似餌本体の潰れを抑止することができるようにしている。これにより、あらゆる方向からの魚の食いつきに対しても、釣り針が露出するようにしている。
【先行技術文献】
【特許文献】
【０００４】
【特許文献１】特開２００２−１５３１６６号公報
【特許文献２】特開２０１０−５７４０４号公報
【発明の概要】
【発明が解決しようとする課題】
【０００５】
特許文献１または特許文献２に記載の釣り用ルアーはいずれも、疑似餌本体の内部構造に改良を重ねたものである。このため、魚が疑似餌本体を咥えない場合、例えば、魚が小さくて疑似餌本体を咥えられない場合、または魚が疑似餌本体を突っつくのみの場合には、魚が釣り針に引っ掛かる確率（フッキング率）の向上にはつながらなかった。
本発明は、このような事情に鑑みてなされたものである。すなわち、従来の釣り用ルアーの釣り針では捕らえきれなかった魚も逃しにくくなるとともに、状況に応じて釣り用ルアーを簡易に変化させることができる技術を提供することにある。
【課題を解決するための手段】
【０００６】
（第一の発明）
第一の発明は、疑似餌本体２２およびその疑似餌本体２２を覆うように配置された二股の釣り針２１を備えたルアー２０に対して着脱容易に連結させるアシストフック１０に係る。
すなわち、前記ルアー２０の釣り針２１は、釣り糸に連結される釣り糸連結部２１ａと、その釣り糸連結部２１ａから延設されてＪ字形をなす針先２１ｃに向けて二股に分かれた胴部２１ｂを備えている。
前記アシストフック１０は、前記二股の胴部２１ｂに掛けられて固定される連結具１２と、その連結具１２における釣り糸連結部２１ａと反対側へ針先１１ｃが位置するように固定されるＪ字形の補助フック１１とを備えたアシストフック１０である。
【０００７】
（作用）
ルアー２０の釣り針２１における胴部２１ｂに対して、アシストフック１０の連結具１２を掛けて固定する。すると、Ｊ字形の補助フック１１は、連結具１２によって掛けられるだけで固定されるので、着脱は容易である。
補助フック１１は、連結具１２における釣り糸連結部２１ａと反対側へ針先１１ｃが位置するように固定されるので、前記ルアー２０の後方に位置することとなる。このため、釣り針２１で捕らえきれなかった魚を、補助フック１１で引っ掛けることができる。
【０００８】
（第一の発明のバリエーション１）
第一の発明は、以下のように形成してもよい。
すなわち、線状部材をＶ字状に屈曲させることで両端に前記ルアー２０に連結するための連結部１２ｂ，１２ｂを備え、  そのＶ字の屈曲部には、線状部材を捻って交差させることで前記補助フック１１へ連結するための連結部１２ａを形成してもよい。
【０００９】
（作用）
使用者がルアー２０にアシストフック１０を取り付けるには、釣り針２１の針先２１ｃに、前記アシストフックの連結具１２における連結部１２ｂを挿入する。このとき、前記アシストフックの補助フック１１は、釣り針２１ｃの針先と同じ方向に向くよう、すなわち前記の針先１１ｃが水面側にくるよう、前記の補助フック１１を連結する。
前記の連結具１２は、前記の連結部１２ｂを備えたＶ字状の線状部材で構成しているので、製造が容易である。また、釣り針の針先２１ｂに引っ掛けるだけで取り付けることができるため、着脱容易なアシストフック１０となる。
【００１０】
（第一の発明のバリエーション２）
第一の発明において、前記補助フック１１は、複数の針先１１ｃを備えたアシストフック１０としてもよい（図４参照）。
【００１１】
（作用）
補助フック１１が複数の針先１１ｃを備えていることで、釣るべき魚が前記フック１１に引っ掛かる確率を向上させることに寄与する場合がある。
【００１２】
（第一の発明のバリエーション３）
第一の発明は、前記連結具１２と前記補助フック１１との間に羽根部材１４を軸支したアシストフック１０としてもよい（図５参照）。
【００１３】
（作用）
羽根部材１４が水中で回転することにより、羽根部材１４が水を切る音や微弱な水流により、魚がおびき寄せられるため、集魚力が向上する。
なお、羽根部材１４を光沢素材で構成した場合には、羽根部材が回転する際に光を水中へ乱反射させることができる。その反射光によって、魚をおびき寄せる効果を向上させられる場合がある。
【００１４】
（第一の発明のバリエーション４）
第一の発明は、前記連結具１２と前記補助フック１１との連結部１０ａを被覆部材１３で覆うこととしてもよい。
被覆部材の色を工夫することで、魚から見えにくくしたりする。
【００１５】
（作用）
前記の連結部１０ａを被覆部材１３で覆うことにより、補助フック１１の可動域を抑制したり、水流の乱れを小さくしたりすることができる。これによって水中におけるルアー２０やアシストフック１０が自然な動きとなるとともに、障害物にも引っ掛かりにくくなり、フッキング率の向上に寄与する。
【００１６】
（第二の発明）
第二の発明は、第一の発明に係るアシストフック１０を備えた釣り用ルアー２０に係る。
【００１７】
（作用）
ルアーをくわえない魚や、ルアーをつつくだけの魚であっても、前記ルアーの後方を泳いでいるアシストフックの補助フックで捕らえることができるため、フッキング率を向上することができる。
【発明の効果】
【００１８】
本発明によれば、ルアーに補助フックを連結するという技術を提供することにより、魚のフッキング率向上に寄与する可能性のあるアシストフックおよび釣り用ルアーを提供することができた。
【図面の簡単な説明】
【００１９】
【図１】（ａ）実施の形態１に係るアシストフックを取り付けた釣り用ルアーの斜視図である。（ｂ）実施の形態１に係るアシストフックを釣り針に取り付けた状態を示す斜視図である。
【図２】図１（ａ）に示す釣り用ルアーを魚が食いつく状態を示した説明図である。
【図３】（ａ）は、図１（ａ）に示す釣り用ルアーにアシストフックを取り付ける方法を示した説明図である。（ｂ）は、図１（ａ）に示す釣り用ルアーにアシストフックを取り付けた状態を示した説明図である。
【図４】図１（ａ）に示すアシストフックの変形例を示す斜視図である。
【図５】第二の実施形態に係るアシストフックの斜視図である。
【図６】第三の実施形態に係るアシストフックの斜視図である。
【図７】第四の実施形態に係るアシストフックの斜視図である。
【発明を実施するための形態】
【００２０】
本発明の実施の形態について、図面を参照しながら説明する。ここで使用する図面は、図１から図７である。
【００２１】
（ルアーの構造）
本実施形態は、疑似餌本体２２およびその疑似餌本体２２を覆うように配置された二股の釣り針２１を備えたルアー２０と、そのルアー２０に対して着脱容易に連結させるアシストフック１０とからなる。
前記のアシストフック１０を連結するルアー２０は、ウエイドレスソフトプラグと呼ばれるものルアー２０である。このルアー２０は、塩化ビニールなどの軟性合成樹脂製からなる。  ウエイドレスソフトプラグと呼ばれるルアー２０は、水中に泳がせている際には、前記フック２１が疑似餌本体２２に沿うように取り付けら得ているため、水中の障害物に引っ掛かりにくいという特性を有するとともに、魚が前記ルアー２２をくわえたときには、前記フック２１が飛び出し、魚を逃しにくいという特性を有している。
【００２２】
本実施形態のルアー２０は、内部が中空となったカエル形状の疑似餌本体２２と、Ｊ字状の釣り針型フック２１とを備える。そして、この釣り針型フック２１が、本体の頭部にあたる前部近傍に釣り糸をつなげるための連結部２１ａを露出させ、疑似餌本体２２の尾部から頭部に向けて、Ｊの字の胴部２１ｂが本体内部を貫通するとともに、疑似餌本体２２の尾部から外部にかけ、前記フックの針先２１ｃが水面側に位置するように、疑似餌本体２２の後部から外部に露出させて取り付けた構造をとっている。また、前記フックの針先２１ｃ近傍に貫通孔を穿ち、揺動体（スカート２３）を取り付ける。
なお、前記本体の形状はカエルに限られず、一般的に疑似餌として用いられる形状であってもよい。
【００２３】
（アシストフック）
図１（ａ）に示すように、アシストフック１０は、ウエイドレスソフトプラグと呼ばれる釣り用ルアー２０に連結させる。このアシストフック１０は、補助フック１１とその補助フックとルアーとを連結する連結具１２とからなる。前記アシストフック１０は、前記ルアー２２の反進行方向である後部に設けられている。魚はルアーを背後から追う捕食行動をとるためである。
【００２４】
（アシストフック−補助フック）
補助フック１１は、Ｊ字状の釣り針型形状をしている。この補助フック１１は、針先１１ｃと反対側の端部に、前記の連結具の連結部１２ａに引っ掛けて連結するための係止部１１ａを備えている。ここで、前記の補助フック１１は、針先１１ｃが水面側にくるように、前記の連結具１２に連結される。
なお、図１（ａ）では、前記の補助フックの針先１１ｃは一本であるが、これに限られない。例えば、図４に示すように、いわゆるダブルフックやトリプルフックと呼ばれる、複数の針先１１ｃを備えた補助フック１１を用いてもよい。
【００２５】
（アシストフック−連結具）
前記の補助フック１１は、前記の連結具１２により前記ルアー２０に連結される。この連結具１２は、両端に連結部１２ｂをコイルバネで形成し、そのコイルバネ１２ｂを備えた一本のＳＵＳ線材において、その線材の長手方向の中心部を略円状を形成するように、前記の線材を折り曲げ、形成される。この略円状が補助フック１１との連結部となる。なお、前記の連結具１２の素材は、ＳＵＳ線材に限定されず、他の金属または樹脂などで構成してもよい。
【００２６】
（ルアーの使用方法）
前記ルアー２０の使用方法について、図１および図２を用いて説明する。
前記ルアー２０は疑似餌の形状をしているため、釣り糸３０に取り付けられた前記ルアー２０を水中で泳がすことで、魚がおびき寄せられる。前記ルアー２０は軟質素材により構成されているため、魚の口に挟まれることで中空本体２２が凹み、これにより、前記の疑似餌本体２２に沿うように取り付けられた釣り針２１が、前記疑似餌本体２２から飛び出す。この張り出したフック２１を魚がくわえ込んでしまった場合には、それで魚が釣れる。
【００２７】
図２に示す様に、ルアー２０を水中で泳がすことでおびき寄せられた魚が、前記ルアー２０をくわえようとしたものの、カエル形状をなした部位を取り逃がし、スカート２３をくわえられる状況となったとする。このとき、魚はスカート２３とともに補助フック１０をくわえ込むこととなり、それで魚が釣れる。スカート２３は、補助フック１０を魚から見えにくくしている。
【００２８】
前記の連結具１２は、図１（ｂ）に示すように、一本の線状部材から構成してもよい。この場合、その一端には前記釣り針２１に連結するためのコイルバネ１２ｂを備え、他端には、前記補助フック１１を連結するための連結部１２ａとを備えることとする。連結具１２の製造も、連結具１２とルアー２０との連結も容易になるので、合理的である。
前記の補助フック１１と前記の連結具１２は、前記の補助フックの係止部１１ａを、前記の連結具１２の略円状の連結部１２ａに引っ掛けることで連結する。
【００２９】
図１（ａ）に示すように、連結された前記の補助フック１１と前記の連結具１２の連結部１０ａは、熱収縮チューブが巻きつけられている。前記の連結部１０ａを熱収縮チューブで覆うことで、前記の補助フック１１が水中における可動域を抑制するとともに、水の流れを円滑にする。
なお、被覆部材１３の素材は、熱収縮チューブに限定されるものではない。たとえば、ビニルテープのように、釣り人が自由に巻き付けることとしてもよい。
【００３０】
（アシストフックとルアーの連結方法）
図３（ａ）に示すように、記の補助フック１１と前記の連結具１２とからなるアシストフック１０は、前記の連結具１２に備えられた二つのコイルバネ１２ｂを、釣り針２１の針先２１ｃから通すことで、取り付けることができる。
図３（ｂ）に示すように、挿入されたアシストフック１０は、釣り針２１の湾曲部における中央部近傍でとまる。このとき、補助フックの針先１１ｃは、釣り針２１の針先２１ｃと同じ方向、すなわち水面側を向くように取り付けることが好ましい。
【００３１】
（図５）
図５に示す実施形態は、ルアー２０と連結するための連結具１２と、補助フック１１とが、プロペラ１４ｂを備えたサルカン１４を介して連結されている。すなわち、前記の連結具１２、前記の補助フック１１および前記のプロペラサルカン１４により、アシストフック１０を構成する。このプロペラ１４ｂは、水面に対してほぼ垂直に回転し、集魚力を向上させるのに役立つ。
【００３２】
なお、前記プロペラサルカン１４は、羽根部材であればよく、例えばブレードなどを回転可能に取り付けることで代用してもよい。羽根部材１４の素材は、金属性・樹脂製のものが一般的であるが、これに限られない。
また、図５では羽根の枚数は２枚設けているが、これに限定されず、３枚羽根、４枚羽根でもよい。
【００３３】
（図６）
図６に示すのは、連結具のバリエーションである。すなわち、一つのコイルバネ１２Ａｂと一つの連結部１２Ａａとを両端に位置させた棒状の連結具１２Ａである。前記のコイルバネ１２Ａｂを二股となる釣り針２１の分岐付近に位置させ、他端となる連結部１２Ａａに補助フック１１を連結している。
この実施形態の場合、補助フック１１が揺動しやすいという特徴があり、揺動することで呼び込みやすい魚を釣り上げるのに好都合である。
【００３４】
（図７）
図７に示すのは、連結具を棒状部材にて作製せず、板状部材（金属製または樹脂製の板）としたものである。棒状部材よりも変形しにくいという特徴がある。
図７（ａ）に示すのは、平面形状がＴ字形をなすＴ字形連結具１５である。また、図７（ｂ）に示すのは、平面形状がＹ字形をなすＹ字形連結具１６である。連結具の選択によって、ルアー２０に対する補助フック１１の位置を異ならせることができる。
【産業上の利用可能性】
【００３５】
本発明は、釣具、釣り用品または雑貨の製造業、漁業、釣り具のレンタル業において、利用可能性を有する。
【符号の説明】
【００３６】
１０      アシストフック              １０ａ    連結具と補助フックとの連結部
１１      補助フック                  １１ａ    係止部
１１ｃ    針先
１２      連結具                      １２ａ    補助フックとの連結部
１２ｂ    釣り針との連結部、コイルバネ
１２ｄ    脚部
１２Ａ    連結具                      １２Ａａ  補助フックとの連結部
１２Ａｂ  釣り針との連結部、コイルバネ
１３      被覆部材
１４      羽根部材、プロペラサルカン
１４ａ    連結部
１４ａａ  補助フックとの連結部        １４ａｂ  連結具との連結部
１４ｂ    羽根
１５      Ｔ字形連結具                １６    Ｙ字形連結具
２０      ルアー
２１      釣り針                      ２１ａ    釣り糸との連結部
２１ｂ    胴部                        ２１ｃ    針先
２２      疑似餌本体                  ２３      スカート
３０      釣り糸
【図１】
2014007992.tif 000003
【図２】
2014007992.tif 000004
【図３】
2014007992.tif 000005
【図４】
2014007992.tif 000006
【図５】
2014007992.tif 000007
【図６】
2014007992.tif 000008
【図７】
2014007992.tif 000009